(57)【要約】      （修正有）【課題】自立式であり少しのスペースで空中での演技とポールでの演技を可能とし、少人数で設置解体出来る演技用自立式用具を提供する。【解決手段】自立式用具の脚を１から５の間接を設け分割する事により、少人数での設置解体を可能とし、また、ポールの移動用レール１７を設けた事によりポールの出しはけが可能となり他の演技も可能となる。最上部の三角トラス部分やバーを利用し空中での演技も可能とする。【選択図】図３
0003146094.tif 000002
【実用新案登録請求の範囲】
【請求項１】
三脚型の自立式で、ポールの出し入れを可能とすることにより、空中での演技とポールでの演技両方を可能とし、少人数で設置解体できることを特徴とする演技用自立式用具。
【考案の詳細な説明】
【技術分野】
【０００１】  本考案は、空中での演技を可能とする用具、また、空中での演技を可能とする用具にポールを設けた自立式用具に関するものである。
【背景技術】
【０００２】  今まで空中での演技をするには、大掛かりなセット、もしくはその演技が可能な強度を有する場所が必要だった。またポールでの演技をするには、ポールを立てる時に３点から引っ張るため、床に重りなどの器具が必要だった。さらに、空中での演技とポールでの演技を両方するには、多くの器具と人材と場所が必要であった。
【考案の開示】
【考案が解決しようとする課題】
【０００３】  空中での演技が可能なセットの設営には経済的負担が大きく、それらのセットが用意不可能な場合、空中での演技が可能な強度を有する場所が必要となり、演技が可能な場所の範囲は狭められる。また、ポールでの演技には空中での演技用設備とは別の設備が必要であり、両方の演技をするには広い場所と人材を要し、経済的、労働的負担も大きい。従って、自立式で容易に設置解体できる空中での演技が可能な用具とポールを一体化することにより、少しのスペースと人材で空中とポールの演技を可能とし、前述の欠点を解決しようとするものである。
【課題を解決するための手段】
【０００４】  本考案は、空中での演技が可能な強度を有する三脚型の自立式用具の上部にレールを取り付け、ポールをスライドさせて出し入れ出来るようにする事により、空中での演技とポールでの演技両方を可能とし、三脚の脚がそれぞれ分割されており少人数で設置解体を可能とすることにより問題点を解決している。
【考案の効果】
【０００５】  上述の様に、本考案の演技用自立式用具は空中での演技は勿論、ポールでの演技も可能にし、ポールを外せば空中での演技のみ可能な自立式用具になり、自立式ポールとしてポールでの演技のみにも使用出来る。また、ポールの出し入れが容易に出来るため、少しのスペースで空中での演技とポールでの演技両方が可能となる。さらに自立式であるため、演技可能な範囲が広がり、少人数で設置解体が可能なため、経済的、労働的にも負担が減る。
【考案を実施するための最良の形態】
【０００６】  自立式用具の最上部を床に逆さまに置き、初めの脚３本をはめ込みボルトで留め、その後ひっくり返し、一脚ごと持ち上げて脚はめ込みボルトで留めていく。こうする事で、少人数での設置撤去を可能とする。三脚の脚をそれぞれ床中央にあるポールベースとワイヤーでつなぎ、中心で行われる演技動作により、その力で脚がそれ以上外側へ広がらないように固定する。最後にポールを最上部にある筒にはめ込みボルトで固定し、床の中心にあるポールベースに固定する。空中での演技内容により、最上部にバーを取り付ける。空中での演技用器具は最上部のトラスやバーから吊るす。
【実施例】
【０００７】  以下、添付図面に従って一実例を説明する。図１はポールを設置していない状態の自立式用具を正面から見た全体図である。最上部の三角形トラスを逆さまに床に置き、最初の脚をそれぞれはめ込み間接部１を１脚につきボルト４本で留める。その後全体をヒックリ返し三脚が立つ状態にする。そこから脚を１本ずつ差し込み間接部をボルトで留める過程を２から５まで繰り返す。６は裏がゴム製の脚ベースで、床を傷つけず滑り止めの役割も果たす。７はポールのベースで中央にくぼみがあり、ポールの下面がはまるようになっている。また、３点にフックがあり、それぞれの脚と８のワイヤーで繋げるようになっている。９は空中での演技用具を吊るためのバーである。【０００８】  図２は最上部にある空中での演技用具を吊るためのバーで、上が正面、下が後面から見た図である。２４と２６は空中での演技をするための道具を吊るした場合、バーに巻いたスリングが横に移動し滑り落ちるのを防止する物である。２５はバーを自立式用具本体の最上部に取り付ける場合のボルト穴であり、図３の１０にボルトで留める。【０００９】  図３は自立式用具の最上部の図でポールは自立式用具中央にない状態で、他の演技が可能な状態である。１３にポールを通し１７のレールを滑り中央へ移動し、ストッパー１２でスライドを留め１１のくぼみに入る。ポールの下部は中央のポールベース７にはめ込む。これでポールが自立式用具の中央に位置する。【００１０】  図４は最上部の仕組みを詳しく書いた物である。この図４ではポールは自立式用具中央に位置しポールでの演技が可能な状態である。２１はポール本体で、ポール固定筒１３に下部より差し込み、羽根つきボルト２０で止める。更にボルト１８をポール本体に空いている穴に貫通させて留め、ポールが筒内で回転するのを防ぐ。１９は微妙な高さの調節が出来る穴である。最後に１４の棒を回し１５のボルトを締めて固定し、ポールが振動でくぼみから飛び出すのを防ぐ。円形金具１６はレール１７をスライドさせる際に横に外れないためのガイド。ポールを自立式用具中央から後部へ移動させ、他の演技が可能な状態にしたい場合は、棒１４を回してボルト１５を緩め、ポールを持ち上げくぼみから外しレール１７をスライドさせストッパー２２でスライドが止められた後、くぼみ２３にはまる。その後、ポールを自立式用具後部の脚に縛ることで他の演技が可能となる。
【図面の簡単な説明】
【００１１】
【図１】本考案の演技用自立式用具の正面図である。
【図２】本自立式用具の最上部に取り付ける、空中での演技道具を吊るすバーである。
【図３】本自立式用具の最上部の三角形の部分の全体図である。
【図４】図３の三角形の中央に位置するポールをスライドさせる部分の詳細図である。
【符号の説明】
【００１２】１    最上部と脚の関節部
２    １番目と２番目の脚の関節ボルト
３    ２番目と３番目の脚の関節ボルト
４    ３番目と４番目の脚の間接ボルト
５    ４番目と５番目の脚の関節ボルト
６    脚ベース
７    ポールベース
８    ワイヤー
９    バー
１０  ボルト穴
１１  中央くぼみ
１２  中央スライドストッパー
１３  ポール留め筒
１４  ボルト締め棒
１５  ボルト
１６  スライドガイド
１７  レール
１８  回転止めボルト
１９  高さ調節穴
２０  羽根つきボルト
２１  ポール本体
２２  後部スライドストッパー
２３  後部くぼみ
【図１】
0003146094.tif 000003
【図２】
0003146094.tif 000004
【図３】
0003146094.tif 000005
【図４】
0003146094.tif 000006
【手続補正書】
【提出日】平成20年7月31日(2008.7.31)
【手続補正１】
【補正対象書類名】実用新案登録請求の範囲
【補正対象項目名】全文
【補正方法】変更
【補正の内容】
【実用新案登録請求の範囲】
【請求項１】
三脚型の自立式で、上部にレールを取り付けそこにポールを固定しスライドさせることで、ポールの出し入れが可能となり、そうする事によって空中での演技や他の演技も可能とし、又、三脚の脚をそれぞれ細かく分割する事により少人数で設置解体出来る事を特徴とする演技用自立式用具。